【事件の表示】
　平成　８年特許願第１７５４２４号「液晶駆動用回路及び該回路を有する液晶表示装置」拒絶査定不服審判事件〔平成１０年　１月　６日出願公開、特開平１０−　　３２８４〕について、次のとおり審決する。
【結　論】
　本件審判の請求は、成り立たない。
【理　由】
第１　手続の経緯
　本件は、平成８年６月１７日にされた特許出願（平成８年特許願第１７５４２４号。以下「本件出願」という。）につき、拒絶査定が平成１５年５月１２日付けでされ、同月２０日に発送されたところ、拒絶査定に対する審判が同年６月１９日に請求されるとともに同日付けで手続補正書が提出されたものである。
　　
第２　平成１５年６月１９日付けの手続補正についての補正却下の決定
　１　補正却下の決定の結論
　平成１５年６月１９日付けの手続補正を却下する。
　　
　２　補正却下の決定の理由
　（１）平成１５年６月１９日付けの手続補正書による手続補正（以下「本件補正」という。）の内容
　　本件補正は、本件出願明細書の特許請求の範囲の請求項１を以下のとおり補正することを含むものである。
　　ア　本件補正前の特許請求の範囲の請求項１
「【請求項１】第一の映像信号を入力する第一の映像信号入力手段と、該第一の映像信号入力手段に入力された第一の映像信号を倍速化するラインメモリ手段と、第二の映像信号を入力する第二の映像信号入力手段と、上記ラインメモリ手段において倍速化された第一の映像信号と上記第二の映像信号入力手段からの第二の映像信号のいずれかを選択し切り換える信号切り換え手段と、該信号切り換え手段からの出力信号をガンマ変換するガンマ回路と、該ガンマ回路からの出力信号を交流反転する反転手段とを有することを特徴とする液晶駆動用回路。」
　　イ　本件補正後の特許請求の範囲の請求項１
「【請求項１】第一の映像信号であるインターレース信号を入力する第一の映像信号入力手段と、該第一の映像信号入力手段に入力された第一の映像信号を倍速化するための第一及び第二のラインメモリ手段と、第二の映像信号であるノンインターレース信号を入力する第二の映像信号入力手段と、上記第一及び第二のラインメモリ手段において倍速化された第一の映像信号と上記第二の映像信号入力手段からの第二の映像信号のいずれかを選択し切り換える信号切り換え手段と、該信号切り換え手段からの出力信号をガンマ変換するガンマ回路と、該ガンマ回路からの出力信号を交流反転する反転手段とを有し、第一の映像信号を選択して出力する時、第一及び第二のラインメモリ手段から倍速化された第一の映像信号を液晶パネルの各画素行に順次出力して線順次によるフィールド走査を行い、続くフィールド走査では、出力する液晶パネルの画素行を一行ずらしてフィールド走査を行うことを特徴とする液晶駆動用回路。」
　　
　（２）　本件補正の適否について
　本件補正は、本件補正前の請求項１に係る発明について「第一の映像信号を入力する第一の映像信号入力手段」、「第一の映像信号を倍速化するラインメモリ手段」、「第二の映像信号を入力する第二の映像信号入力手段」をそれぞれ「第一の映像信号であるインターレース信号を入力する第一の映像信号入力手段」、「第一の映像信号を倍速化するための第一及び第二のラインメモリ手段」、「第二の映像信号であるノンインターレース信号を入力する第二の映像信号入力手段」と減縮するとともに「第一の映像信号を選択して出力する時、第一及び第二のラインメモリ手段から倍速化された第一の映像信号を液晶パネルの各画素行に順次出力して線順次によるフィールド走査を行い、続くフィールド走査では、出力する液晶パネルの画素行を一行ずらしてフィールド走査を行う」構成を付加するものであって、特許法第１７条の２第４項第２号の特許請求の範囲の限定的減縮を目的とするものに該当する。
　
　（３）　独立特許要件について
　本件補正後の請求項１に係る発明（以下「本願補正発明」という。）が特許出願の際独立して特許を受けることができるものであるかについて以下に検討する。
　
　（ア）引用刊行物記載の発明
　原査定の拒絶の理由に引用された特開平４−３１４０９４号公報（以下、「引用刊行物Ａ」という。）には、
（Ａ−１）「【０００１】【産業上の利用分野】本発明は液晶表示装置に関するものである。」こと、
（Ａ−２）「【０００７】【実施例】図１は本発明の液晶表示装置の一実施例の液晶駆動回路系を示すものであり、各種コンピュータシステムからＲＧＢ信号の形態で供給される映像信号とともに、通常のＮＴＳＣテレビジョンチューナから供給されるコンポジット映像信号に対応して映像表示を行なうことができるように構成した例である。【０００８】１は例えばテレビジョンチューナーからのコンポジット映像信号が供給される入力端子、２ａ，２ｂは例えばコンピュータシステムに接続されてＲＧＢ映像信号、垂直同期信号Ｖ、水平同期信号Ｈが供給される入力端子を示す。【０００９】入力端子１から入力されたコンポジット映像信号は、色復調回路系３に供給されてＲＧＢ信号に復調される一方、同期分離回路４に供給され垂直同期信号Ｖ及び水平同期信号Ｈが抽出される。色復調回路系３では例えばＹ／Ｃ分離、色差信号復調、マトリクス回路処理によってＲ信号、Ｂ信号、Ｇ信号を復調してドライブ信号として増幅し、それぞれスイッチ回路５ａのＴ1 端子に供給している。またスイッチ回路５ａのＴ2 端子には入力端子２ａから入力されたＲ信号、Ｂ信号、Ｇ信号がそれぞれ供給されている。【００１０】さらに同期分離回路４からの垂直同期信号Ｖはスイッチ回路５ｂのＴ1 端子に供給され、同期分離回路４からの水平同期信号Ｈはスイッチ回路５ｃのＴ1 端子に供給されている。そして、スイッチ回路５ｂ，５ｃの各Ｔ2 端子にはそれぞれ入力端子２ｂからの垂直同期信号Ｖ及び水平同期信号Ｈが供給されている。【００１１】スイッチ回路５ａ，５ｂ，５ｃにおけるＴ1 端子とＴ2 端子の切換動作は図示しない制御回路によって連動制御され、すなわち入力端子１からの映像信号を表示する際には全てＴ1 端子が選択され、また入力端子２ａ，２ｂからの映像信号を表示する際にはＴ2 端子が選択される。【００１２】また、６は極性反転回路、７はタイミングコントローラ、８はビデオバッファ、９は信号ラインドライバ、１０はゲートラインドライバ、１１は液晶パネルを示し、スイッチ回路５ａから出力されるドライブ信号、即ちＲ信号、Ｂ信号、Ｇ信号は、液晶パネルに直流電圧を長時間印加することによる液晶材料の劣化を防ぐため、極性反転回路６に供給され、タイミングコントローラ７から供給される所定の極性切換タイミング信号に基づいて極性が反転される。そしてビデオバッファ８を介して信号ラインドライバ９に入力される。【００１３】信号ラインドライバ９及びゲートラインドライバ１０にはタイミングコントローラ７からの制御信号に従って、例えば図２に示すように信号線及びゲート線がマトリクス構成された液晶パネル１１に、画素電極電圧即ち信号電圧と、水平走査電圧を印加する。【００１４】すなわち、ゲート線Ｇ1 からＧm に順次、水平走査電圧が印加されて、１水平期間の各画素の能動素子Ｔ（ＴＦＴ：薄膜トランジスタ）がオンとされるとともに、信号線Ｓ1 〜Ｓn から信号電圧が印加され、各画素において液晶ＬＣが駆動される。なお、画素電極電圧は、次のフィールド或はフレームで再び次の信号電圧が入力されるまで、コンデンサＣによって保持される。」ことが記載されている。
　上記（Ａ−１）及び（Ａ−２）の記載を参照すると、上記引用刊行物Ａには、
「ＮＴＳＣテレビジョンチューナからのコンポジット映像信号が供給される入力端子１と、供給されたコンポジット映像信号をＲＧＢ信号に復調しスイッチ回路５ａのＴ1端子に出力する色復調回路系３と、コンピュータシステムからＲＧＢ映像信号、垂直同期信号Ｖ、水平同期信号Ｈが供給され、スイッチ回路５ａ、５ｂのＴ2端子に出力する入力端子２ａ，２ｂと、入力端子１からの映像信号と入力端子２ａからの映像信号を選択して出力するスイッチ回路５ａ，５ｂと、選択されたスイッチ回路５ａからのＲＧＢ信号を入力する極性反転回路６とを有し、極性反転回路６の出力をビデオバッファ８を介して信号ラインドライバ９を介して液晶パネル１１に供給するとともに、タイミングコントローラ７からの制御信号をゲートラインドライバ１０に供給することによりマトリクス構成された液晶パネル１１のゲート線Ｇ1 からＧm に順次、水平走査電圧を印加して走査する液晶駆動回路。」の発明（以下「引用発明」という。）が記載されている。
　同じく、原査定の拒絶の理由に引用された特開平８−５４８６１号公報（以下、「引用刊行物Ｂ」という。）には、
（Ｂ−１）「【０００１】【産業上の利用分野】本発明は、ディスプレイとその駆動方法に関し、特に決まった行数しかもたないパネルにいろいろな規格の映像信号を入力するディスプレイとその駆動方法に関する。」こと、
（Ｂ−２）「【０００７】液晶ディスプレイは、テレビジョン信号やパソコン信号などを表示するが、これら信号規格はいろいろあって、通常は、それぞれの規格に適合する各種液晶ディスプレイのパネルを作製しなければならない。一方、いろいろな規格の信号を、ひとつのパネルで適当な信号処理により表示する液晶ディスプレイもある。・・・ＮＴＳＣ方式の映像信号を入力するときは、液晶ディスプレイの各行（Ｌ１，Ｌ２，…）に、奇数フィールドで１Ｈ信号ｏ１，ｏ２，…を、偶数フィールドで１Ｈ信号ｅ１，ｅ２，…を順次書き込む。」こと、
（Ｂ−３）「【００４１】図１４（ａ）に本発明における液晶表示装置のシステム構成を示す。１はテレビジョン信号等映像信号の入力端子、２はＲＧＢ信号に変換するデコーダ、３はラインメモリ、４は信号を所定の期間毎に順次正転反転に切替え液晶駆動用交流信号とする反転制御及び信号増幅部、５はメモリ制御と反転制御及び液晶パネル駆動用のパルスを形成するロジック部である。６は液晶パネルを示し、このうち７は水平方向の走査手段としての水平シフトレジスタ（ＨＳＲ）、８は垂直方向の走査手段としての垂直シフトレジスタ（ＶＳＲ）、９は画素部である。１に入力されたインターレース信号は、２でデコードされたのち３のラインメモリにより線順次走査信号に変換され、６の液晶パネルは６０Ｈｚ（ＮＴＳＣ）・・・周期で画面全体が書き換えられる。」こと、
（Ｂ−４）「【００５９】図１４（ａ）に、読み出し用と書き込み用の２系統のシフトレジスタを用いてシリアルＩＮ−シリアルＯＵＴを実現するラインメモリを用いた液晶ディスプレイのシステム構成を示す。１はＴＶ信号の入力端子、２はコンポジットＴＶ信号をＲＧＢ色信号に変換するデコーダ部、３はアナログラインメモリ部、４は信号を所定の期間毎に順次正転反転に切替え液晶駆動用の信号とする反転制御及び信号増幅部、５はメモリ制御と反転制御及び液晶パネル駆動用のパルスを形成するロジック部である。６は液晶パネルを示し、このうち７は水平方向の走査手段としての水平シフトレジスタ（ＨＳＲ）、８は垂直方向の走査手段としての垂直シフトレジスタ（ＶＳＲ）、９は画素部である。１に入力されたインターレース信号は、２でカラーデコードされたのち３のラインメモリにより線順次走査信号に変換され、６の液晶パネルは６０Ｈｚ周期で画面全体が書き換えられる。ここでは、メモリ部３で、ＲＧＢの画素の空間的配置にあわせて、メモリに信号情報をサンプリングして書き込んでいるが、２のデコード部においてＲＧＢの画素配列の順序に合わせて、ＲＧＢ信号それぞれに異なる量の遅延をかけることも可能である。この場合は同一のサンプリングパルスで液晶上の画素の空間的配置に合わせた信号情報を得ることが可能になり、メモリ部及び液晶パネルのサンプリングクロックの周波数を１／３にできる。【００６０】図２１に、本例における上記アナログラインメモリ部のブロック図を示す。１８はメモリ部の入力段、１９はメモリ書き込み用のシフトレジスタ（ＷＳＲ）、２０はＷＳＲ用のスタートパルス（ＷＳＴ）、２１−１，２１−２はＷＳＲ用の二相クロックパルス（ＷＣＬＫ１，ＷＣＬＫ２）、２２はメモリ読み出し用シフトレジスタ（ＲＳＲ）、２３はＲＳＲ用のスタートパルス（ＲＳＴ）、２４はＲＳＲ用のクロックパルス（ＲＣＬＫ）である。２５は液晶パネルの色配列に合わせＶｉｄｅｏ線に送る信号を切り替えるための切り替え制御部である。３３はサンプルホールド回路であり、３４がサンプルホールドパルスの入力端子である。２６はメモリ部の出力段である。２７Ｒ，２７Ｇ，２７ＢはそれぞれＲＧＢ信号の入力端子であり、２８Ａ，２８Ｂ，２８Ｃは、それぞれＲとＧ、ＧとＢ、ＢとＲを書き込む液晶画面の偶数行と奇数行で２５のスイッチで切り替えて出力する出力端子であり、２９が切り替え制御信号の入力端子である。３５はメモリからの読み出しタイミングを微調整するための制御端子であり、この役割については後述する。３０ａ〜３０ｆはＲＧＢ各色の液晶画面の偶数行、奇数行用のメモリ列であり、書き込み用のシフトレジスタの１クロックおきに交互に同一水平信号から振り分けられる。ここの部分の具体的に構成例は図２８に示される。ここで４３Ａ，Ｂ，Ｃは図２１において２５と３３の間のメモリの出力線を示す。また３０ａ〜ｆの１〜ｎは、それぞれのメモリ列の１ｂｉｔ〜ｎｂｉｔまでを表す。信号を読み出すときには２９の切り替え制御信号により、３０ａ，３０ｃ，３０ｅ，か３０ｂ，３０ｄ，３０ｆを選択する。【００６１】図２２に、水平走査期間における液晶及びメモリ駆動タイミングを示す。ＳＧ１Ｒは赤色の映像信号、ＳＧ１Ｇは緑色の映像信号、ＳＧ１Ｂは青色の映像信号、ＳＧ２はＷＳＴ、ＳＧ３はＷＣＬＫ１、ＳＧ４はＷＣＬＫ２、ＳＧ５はＲＳＴ、ＳＧ６はＲＣＬＫ、ＳＧ７は色選択切り替え信号、ＳＧ８Ａ〜Ｃはメモリ部から出力される線順次走査信号に変換された信号、ＳＧ９はＨＳＴ、ＳＧ１０はＨ１、ＳＧ１１はＨ２である。【００６２】このような構成をとることにより、倍密度でサンプリングされたシリアルな信号は、ひとつおきに取り出され、液晶画面の画素配置に合うよう順番を並び変えた２つのシリアル信号に直されたあと、各出力端子に切り替えられながら、別のクロックで動作する読み出し用のシフトレジスタにより１水平走査期間に連続して走査される。【００６３】図２３に、本実施例における液晶パネル上に、フィールド毎に各行（２ｎ〜２（ｎ＋２））へ書き込まれる信号を示す。ここでＯn （ｍ）及びＯn ・（ｍ）はｍフレーム目のインターレース信号の奇数行のｎ番目の信号をパネルの偶数行と奇数行の画素配列に合わせそれぞれ異なるタイミングでサンプリングしたデータである。【００６４】画面の偶数行と奇数行とも共に１フィールド（６０Ｈｚ）毎に書き換えられることにより、動解像度、フリッカの問題とも解決される。また、１フィールドでみると、垂直方向の解像度は原信号の半分になってしまうが、次のフィールドで１行ずらして表示することにより擬似的に垂直解像度を上げている。」ことが記載されている。
　更に、原査定の理由で引用された特開平７−２６１７１８号公報（以下、「引用刊行物Ｃ」という。）には、
（Ｃ−１）「【０００１】【産業上の利用分野】本発明はアクティブマトリクス型の液晶パネルを用いた表示システムに関する。より詳しくは、デルタ配列の画素を有し且つフルフレーム構成の液晶パネルをノンインタレース駆動する際必要になるビデオ信号の倍速変換技術に関する。」こと、
（Ｃ−２）「【０００２】【従来の技術】アクティブマトリクス型の液晶パネルは動画表示が可能であり、テレビ受像機等の表示システムに組み込まれる。ところで、日本国内のテレビ放送規格であるＮＴＳＣ方式では奇偶２フィールドで１画面（１フレーム）が構成され所謂インタレース駆動が行なわれている。」こと
（Ｃ−３）「【０００４】かかるデルタ配列を有するフルフレーム構成の液晶パネルに対して、ＣＲＴ受像管と同様にインタレース駆動を行なおうとすると、ビデオ信号の処理が複雑となり実際には非常に困難である。そこで、デルタ配列のフルフレーム液晶パネルではノンインタレース駆動が適しており、元のインタレース信号からノンインタレース信号を作成する所謂倍速変換が行なわれる。図１０に、倍速処理器を備えた表示システムの一例を示す。三原色成分（Ｒ，Ｇ，Ｂ）毎に入力されたビデオ信号はＡ／Ｄ変換器１０１によりデジタル化された後、倍速処理器１０２に供給される。ここでインタレース信号からノンインタレース信号への倍速変換が行なわれる。一般には入力ビデオ信号から補間ビデオ信号を作成し、両者を合成して倍速ビデオ信号としている。補間ビデオ信号の作成方法としては、ラインメモリを用いてフィールド内で補間する方法、フィールドメモリを用いてフィールド外補間する方法、画像の動きに応じて両者を使い分ける方法等があるが、何れにしても入力ビデオ信号を一旦デジタル化し、何等かのメモリを用いたデジタル信号処理を行なう必要がある。倍速ビデオ信号はＤ／Ａ変換器１０３を介して後段のアナログ処理回路１０４に供給される。このアナログ処理回路は例えばガンマ補正やブライトネス補正を行なうものである。その後倍速ビデオ信号は反転アンプ／バッファ１０５を介して液晶パネル１０６に供給されノンインタレース駆動が行なわれる。前述した様に、この液晶パネルはデルタ配列の画素を有し且つフルフレーム構成のアクティブマトリクス型である。上述したＡ／Ｄ変換器１０１、倍速処理器１０２、Ｄ／Ａ変換器１０３は、メモリコントローラ１０７から出力されるシステムクロックに応じて動作する。一方、液晶パネル１０６はタイミングジェネレータ１０８から供給される駆動クロックに応じて動作する。メモリコントローラ１０７は発振器１０９から供給された基準クロック信号ＣＫ１に基づき水平同期信号ＨＤ、垂直同期信号ＶＤに同期して前述したシステムクロックを出力する。一方、タイミングジェネレータ１０８は別の発振器１１０から入力した基準クロック信号ＣＫ２に従って前述した駆動クロックを出力する。一対の発振器１０９，１１０は互いに独立したものである。」ことが記載されている。
　　　
　（イ）本願補正発明についての対比・判断
　（イ−１）　本願補正発明と引用発明とを対比する。
　引用発明の「スイッチ回路５ａ」、「極性反転回路６」、「液晶駆動回路」がそれぞれ本願補正発明の「信号切り換え手段」、「交流反転する反転手段」、「液晶駆動用回路」に相当する。
　また、引用発明の「入力端子１」にはＮＴＳＣテレビジョンチューナからのコンポジット映像信号が供給され、さらに、ＮＴＳＣの映像信号は上記引用刊行物Ｂの（Ｂ−２）または上記引用刊行物Ｃの（Ｃ−２）に記載されているようにインターレース信号であることから、引用発明の「ＮＴＳＣテレビジョンチューナからのコンポジット映像信号が供給される入力端子１」が本願補正発明の「第一の映像信号であるインターレース信号を入力する第一の映像信号入力手段」に相当する。
　そして、引用発明の入力端子２ａに供給されたコンピュータシステムからのＲＧＢ映像信号は、入力端子１に供給されるＮＴＳＣテレビジョンチューナからのコンポジット映像信号とは異なる映像信号であるから、引用発明の「コンピュータシステムからＲＧＢ映像信号が供給され、スイッチ回路５ａのＴ2端子に出力する入力端子２ａ」が本願補正発明の「第二の映像信号を入力する第二の映像信号入力手段」に相当する。
　そうすると、本願補正発明と引用発明とは、
　「第一の映像信号であるインターレース信号を入力する第一の映像信号入力手段と、第二の映像信号を入力する第二の映像信号入力手段と、上記第一の映像信号入力手段に入力された第一の映像信号と上記第二の映像信号入力手段からの第二の映像信号のいずれかを選択し切り換える信号切り換え手段と、該信号切り換え手段からの出力信号を交流反転する反転手段とを有することを特徴とする液晶駆動用回路。」である点で一致し、次の相違点（あ）〜相違点（う）で相違している。
・相違点（あ）
　本願補正発明では第二の映像信号が「ノンインターレース信号」であるのに対して、引用発明では第二の映像信号としてのコンピュータシステムからのＲＧＢ映像信号がノンインターレース信号であるかどうか不明である点。
・相違点（い）
　本願補正発明では、第一の映像信号であるインターレース信号を入力する第一の映像信号入力手段に対して「第一の映像信号入力手段に入力された第一の映像信号を倍速化するための第一及び第二のラインメモリ手段」を設け、「第一の映像信号を選択して出力する時、第一及び第二のラインメモリ手段から倍速化された第一の映像信号を液晶パネルの各画素行に順次出力して線順次によるフィールド走査を行い、続くフィールド走査では、出力する液晶パネルの画素行を一行ずらしてフィールド走査を行う」構成を備えているのに対して、引用発明ではそのような構成を備えていない点。
・相違点（う）
　本願補正発明では「信号切り換え手段からの出力信号をガンマ変換するガンマ回路」を設け、「ガンマ回路からの出力信号」を「交流反転する反転手段」に出力しているのに対して、引用発明ではそのような構成を備えていない点
　　　　　　　　
　（イ−２）そこで、上記相違点（あ）〜相違点（う）について判断する。
・相違点（あ）について
　引用発明ではコンピュータシステムからＲＧＢ映像信号が供給され、スイッチ回路５ａのＴ2端子に出力する入力端子２ａからの映像信号は、スイッチ回路５ａ、極性反転回路６、ビデオバッファ８を介して信号ラインドライバ９に供給され、タイミングコントローラ７からの制御信号をゲートラインドライバ１０に供給することによりマトリクス構成された液晶パネル１１のゲート線Ｇ1 からＧm に順次、水平走査電圧を印加するものであり、しかも、通常、パソコン等のコンピュータシステムからの映像信号を順次走査するノンインターレース信号とすることは周知（例えば、特開平５−２７３９３３号公報〔段落番号【０００１】〕参照）であることから、引用発明においてコンピュータシステムからの映像信号を、ノンインターレース信号とすることは当業者であれば容易になし得るものである。
・相違点（い）について
　上記引用刊行物Ｂの（Ｂ−３）〜（Ｂ−５）には入力端子１に入力するテレビジョン信号（ＮＴＳＣ）のインターレースの映像信号を書き込み、読み出しする偶数行と奇数行のメモリ列３０ａ、３０ｃ、３０ｅと３０ｂ、３０ｄ、３０ｆとからなる２つのラインメモリを設け、２つのラインメモリに倍密度でサンプリングして書き込んだ信号を１水平走査期間に偶数行又は奇数行のメモリ列３０ａ、３０ｃ、３０ｅか３０ｂ、３０ｄ、３０ｆを選択して交互に読み出して液晶パネル６の各行を１フィールド毎に線順次走査で書き換え、次のフィールドでは１行ずらして表示することが記載されており、引用発明も上記引用刊行物Ｂに記載された発明もともに供給されるテレビジョン信号（ＮＴＳＣ）のインターレース映像信号を液晶パネルで線順次の走査をして表示することで共通するものであるから、引用発明においても、入力端子１に供給されるＮＴＳＣテレビジョンの映像信号であるインターレース信号をスイッチ回路５ａから選択して液晶パネル１１に供給するとともに液晶パネル１１のゲート線Ｇ1 からＧm に順次、水平走査電圧を印加して走査する際、インターレースの映像信号を書き込み、読み出しする偶数行と奇数行のメモリ列からなる２つのラインメモリを設け、２つのラインメモリに倍密度でサンプリングして書き込んだ信号を１水平走査期間に偶数行又は奇数行のメモリ列の２つのラインメモリを選択して交互に読み出して液晶パネルの各行を１フィールド毎に線順次走査で書き換え、次のフィールドでは１行ずらして表示すること、即ち、第一の映像信号であるインターレース信号を入力する第一の映像信号入力手段に対して、第一の映像信号を倍速化するための第一及び第二のラインメモリ手段を設け、第一の映像信号を選択して出力する時、第一及び第二のラインメモリ手段から倍速化された第一の映像信号を液晶パネルの各画素行に順次出力して線順次によるフィールド走査を行い、続くフィールド走査では、出力する液晶パネルの画素行を一行ずらしてフィールド走査を行う構成を採用することは当業者が容易になし得るものである。
・相違点（う）について
　入力する映像信号を液晶パネルで線順次走査して表示する際に、入力した映像信号をガンマ補正回路でガンマ補正し極性反転回路に出力することは上記引用刊行物Ｃに記載されているごとく周知（そのほか、特開平２−３０２７９１号公報〔第２頁左上欄最下行〜右上欄１９行〕参照）であり、さらに、ガンマ補正は液晶パネルの表示特性と入力する映像信号の表示特性とを合わせるものであり、引用発明のＮＴＳＣテレビチューナーから入力端子１を介して入力端子Ｔ1に入力される映像信号も、コンピュータから入力端子２ａを介して入力端子Ｔ2に入力する映像信号も共にそれぞれの映像信号の表示特性を液晶パネル１１の表示特性に合わせる必要があることは明らかであるから、引用発明においてもＮＴＳＣテレビチューナーから入力端子１を介して入力端子Ｔ1に入力する映像信号も、コンピュータから入力端子２ａを介して入力端子Ｔ2に入力する映像信号もともにガンマ補正回路でガンマ補正し、補正した信号を極性反転回路６に出力することは当業者であれば容易になし得るものである。
　さらに、引用発明ではスイッチ回路５ａから映像信号が液晶パネル１１に供給される際に、ＮＴＳＣテレビチューナーから入力端子１を介して入力端子Ｔ1に入力する映像信号も、コンピュータから入力端子２ａを介して入力端子Ｔ2に入力する映像信号もともに、共有化された極性反転回路６、ビデオバッファ８を介して液晶パネル１１に供給されており、さらに、入力するインターレース信号とノンインターレース信号を選択して液晶パネルに表示する際、選択用の切替スイッチで選択された信号を共通化されたガンマ補正回路でガンマ補正することも周知（例えば特開平５−２７３９３３号公報の「【００３９】図１における多階調化回路４４の具体的構成例を図５に示す。・・・【００４２】この時、ＲＯＭ４４１に与えるデータに所定の補正データを加味しておくことにより、多階調化と同時にマトリクス形表示モジュールの表示特性を、入力画像信号の示す表示特性と合わせる、いわゆるγ補正動作を同時に実現できる。」の記載参照）であるから、ＮＴＳＣテレビチューナーから入力端子１を介して入力端子Ｔ1に入力する映像信号と、コンピュータから入力端子２ａを介して入力端子Ｔ2に入力する映像信号とをそれぞれガンマ補正回路を介して極性反転回路６に出力する際に、スイッチ回路５ａで選択された映像信号を共有化されたガンマ補正回路を介して極性反転回路６に出力すること、すなわち、信号切り換え手段からの出力信号をガンマ変換するガンマ回路を設け、ガンマ回路からの出力信号を交流反転する反転手段に出力することに格別の困難性はない。
　そして、本願補正発明によってもたらされる効果は、上記引用発明、引用刊行物Ｂに記載された発明及び周知の技術事項から予測される範囲内のものであって、格別のものではない。
　したがって、本願補正発明は、引用発明、引用刊行物Ｂに記載された発明及び周知の技術事項に基づき当業者が容易に発明をすることができたものであるから、特許法第２９条第２項の規定により特許出願の際独立して特許を受けることができないものである。
　　　　　　　　
　（３）　補正却下の決定についてのむすび
　以上のとおりであるから、本件補正は、平成１５年法律４７号による改正前の特許法第１７条の２第５項において準用する同法第１２６条第４項の規定に違反するものであり、同法第１５９条第１項において読み替えて準用する同法第５３条の規定により却下しなければならないものである。
　
第３　本件出願に係る発明
　平成１５年６月１９日付け手続補正は上記のとおり却下したので、本件出願の請求項１〜５に係る発明は、本件補正前の、平成１４年１１月５日付け手続補正書で補正された明細書及び図面の記載からみて、その特許請求の範囲の請求項１〜５に記載されたとおりのものであって、その請求項１に係る発明（以下、「本願発明」という。）は、上記のとおりのものと認める。
　　
第４　引用刊行物に記載された発明
　原査定の拒絶の理由に引用された引用刊行物の記載事項は上記のとおりである。
　
第５　対比・判断
　本願発明を限定したものである本願補正発明が、前述のとおり、上記引用発明、引用刊行物Ｂに記載された発明及び周知の技術事項に基づき当業者が容易に発明をすることができたものであるから、本願発明も、同様の理由により引用発明、引用刊行物Ｂに記載された発明及び周知の技術事項に基づき当業者が容易に発明をすることができたものである。
　　
第６　むすび
　以上のとおりであるから、本願発明は特許法第２９条第２項の規定により特許を受けることができないものであるので、その余の請求項に係る発明について検討するまでもなく、本件出願は、拒絶をすべきものである。
  よって、結論のとおり審決する。